(57)【特許請求の範囲】
【請求項１】
フィルム(10)を基材とし、少なくとも１つの剥離性帯域を与えるパッケージの製造方法であって、
パッケージの壁面を形成することになるフィルム(10)の上に、剥離性材料のストリップまたはテープの切片(20)を供給する工程、但し、切片(20)の長さは、フィルム(10)の上に置かれている間は、目的とするパッケージの幅より短い、
フィルム上に置かれた各切片(20)の少なくとも端部を平坦化して、平坦化後に切片(20)が前記パッケージの幅を完全にカバーするようにする工程、および
フィルム(10)に剥離性材料の各切片(20)を固定する工程、
を含むことを特徴とする方法。
【請求項２】
フィルム(10)が補完的な閉鎖ストリップ(30)も備えることを特徴とする、請求項１記載の方法。
【請求項３】
平坦化工程と、フィルム(10)に切片(20)を固定する工程が同時であることを特徴とする、請求項１または２記載の方法。
【請求項４】
平坦化工程と、フィルム(10)に切片(20)を固定する工程とを逐次的に行うことを特徴とする、請求項１または２記載の方法。
【請求項５】
平坦化工程を固定工程の前に行うことを特徴とする、請求項４記載の方法。
【請求項６】
平坦化工程と固定工程を、２つの加熱ジョーの間で行うことを特徴とする、請求項１〜５のいずれか１項に記載の方法。
【請求項７】
切片(20)を構成する剥離性材料が、その融点または軟化点がフィルム(10)の主壁面を構成する材料のそれより低い材料であることを特徴とする、請求項１〜６のいずれか１項に記載の方法。
【請求項８】
剥離性切片(20)を構成する材料が、オレフィン、エチレンまたはプロピレンのコポリマーから作製されることを特徴とする、請求項１〜７のいずれか１項に記載の方法。
【請求項９】
フィルム(10)を構成する材料がポリオレフィンから作製されることを特徴とする、請求項１〜８のいずれか１項に記載の方法。
【請求項１０】
剥離性材料の切片(20)が、フィルム(10)上で固定するための少なくとも１つの平面状のベース面を与えることを特徴とする、請求項１〜９のいずれか１項に記載の方法。
【請求項１１】
切片(20)の幅が１〜10 mm の範囲内であることを特徴とする、請求項１〜10のいずれか１項に記載の方法。
【請求項１２】
切片(20)の厚みが 0.1〜2 mmの範囲内であることを特徴とする、請求項１〜11のいずれか１項に記載の方法。
【請求項１３】
剥離性材料の切片(20)をフィルム(10)の上に横断方向に配置することを特徴とする、請求項１〜12のいずれか１項に記載の方法。
【請求項１４】
剥離性材料の切片(20)をフィルム(10)の上に長手方向に配置することを特徴とする、請求項１〜12のいずれか１項に記載の方法。
【請求項１５】
剥離性材料の切片(20)が閉鎖ストリップ(30)の一体部分を形成しており、これと同時押出成形されていることを特徴とする、請求項１〜14のいずれか１項に記載の方法。
【請求項１６】
剥離性材料の切片(20)が、閉鎖ストリップ(30)とは別個の、該ストリップ(30)と平行にフィルム(10)に送給される要素により形成されていることを特徴とする、請求項１〜14のいずれか１項に記載の方法。
【請求項１７】
剥離性材料の切片(20)がフィルム(10)の全幅をカバーし、こうして切片(20)が取り付けられたフィルムを、この第１のフィルムの閉鎖ストリップに補完的な別の閉鎖ストリップを有するが、剥離性ストリップを有していない同じ幅の別のフィルムの上に重ねることにより、パッケージが製造されることを特徴とする、請求項１〜16のいずれか１項に記載の方法。
【請求項１８】
フィルム(10)の上に置いた剥離性材料の切片(20)がフィルム(10)の幅の約半分であり、平坦化されると、これらの切片が最終パッケージの幅に達するようになっていることを特徴とする、請求項１〜16のいずれか１項に記載の方法。
【請求項１９】
フィルム(10)を基材とし、少なくとも１つの剥離性帯域を与えるパッケージの製造機械であって、
パッケージの壁面を形成することになるフィルム(10)の上に、剥離性材料のストリップまたはテープの切片(20)を供給するのに適した手段、但しこの切片(20)の長さは、フィルム(10)の上に置かれている間は、目的とするパッケージの幅より短い、
フィルム上に置かれた各切片(20)の少なくとも端部を平坦化して、平坦化後に切片(20)が前記パッケージの幅を完全にカバーするようにするのに適した手段、および
平坦化中または平坦化後に剥離性材料の各切片(20)をフィルム(10)に固定するのに適した手段、
を備えることを特徴とする機械。
【請求項２０】
フィルム(10)が補完的閉鎖ストリップ(30)も備えることを特徴とする、請求項19記載の機械。
【請求項２１】
平坦化操作と固定操作を実施するために、２つの加熱ジョーを備えることを特徴とする、請求項19または20記載の機械。
【請求項２２】
請求項１〜18のいずれか１項に記載の方法を実施することにより得られたパッケージ。
【請求項２３】
ストリップ(30)の閉鎖のためのカーソルを備えることを特徴とする、請求項22記載のパッケージ。
【発明の詳細な説明】
【０００１】
【技術分野】
本発明は、パッケージ、特に補完的な閉鎖ストリップ(complementary closure strip) を有する袋型のパッケージの分野に関する。
【０００２】
このような閉鎖ストリップを備えた多くのパッケージまたは袋が既に提案されている。  さらにより正確には、本発明は、パッケージまたは袋の壁面の内面間に形成された、剥離可能な、即ち、引き離し可能な接合帯域を有する、パッケージまたは袋に関する。
【０００３】
【背景技術】
この種の多くのパッケージまたは袋が知られている。
剥離可能な帯域 (剥離性帯域) の機能は、パッケージまたは袋の漏れ止め性を改善することである。
【０００４】
別の機能は、パッケージまたは袋が開けられたことがあるかどうかを検証可能にすることである。パッケージまたは袋の剥離性帯域が離れていたら、これはそのパッケージまたは袋の潜在的購入者に、このパッケージまたは袋が既に開けられたことがあることを知らせる作用をする。
【０００５】
剥離性帯域は、パッケージまたは袋の内部容積に対して、閉鎖ストリップの内側または外側に設けることができる。
一般に、剥離性帯域は、パッケージまたは袋を構成するフィルムに剥離性材料のストリップ、即ち、パッケージまたは袋の壁面より低い融点を与えるストリップを取り付けることにより行われる。
【０００６】
かかるパッケージの１態様はUS-A-4 925 318に見ることができる。
しかし、かかるパッケージの製造のために従来提案されてきた手段は、非常に複雑で、完全に満足できるものではないことが認められてきた。特に、パッケージが適正に漏れ止めとなっていることを保証することが必ずしも可能ではない。この漏れは、特にパッケージの両側の側縁部を結合している剥離性ストリップの端部で起こり易く、これは、パッケージを構成するフィルム上に供給する剥離性材料の切片の長さをフィルムの幅より短くしなければならないからである。
【０００７】
フィルムに表面処理を適用することにより、材料を付加せずに剥離性帯域を作製することで、この欠点を軽減することが試みられた。
しかし、これも、特に実施が複雑であるため、やはり完全に満足を与えるものではなかった。
【０００８】
本発明の目的は、公知のパッケージの性能を改善することである。
本発明の主な目的は、既知の袋またはパッケージより良好な漏れ止め性を与える袋またはパッケージを提供することである。
【０００９】
【発明の開示】
本発明によれば、上記目的は、
パッケージの壁面を形成することになるフィルム (またはシート) 上に、剥離性材料 (剥離可能な材料) のストリップまたはテープの切片を供給する工程、但し、切片の長さは、フィルムの上に置かれている間は、目的とするパッケージの幅より短い、
各切片の少なくとも端部を平坦化して、平坦化後に切片が前記パッケージの幅を完全にカバーするようにする工程、および
フィルムに剥離性材料の各切片を固定する工程、
からなる工程を含むパッケージの製造方法により達成される。
【００１０】
本発明はまた、この方法を実施するための機械、およびそれにより得られたパッケージも提供する。
本発明の他の特徴、目的および利点は、制限を意図しない例として示す、添付図面を参照しながら以下の詳細な説明を読むと明らかとなろう。
【００１１】
図１、２および３は、本発明の方法の基本的な３工程の説明図である。
より正確には、これらの図は下記を示す。
図１では、好ましくは、長手方向、即ち、Ｄの方向に連続的に走行するよう駆動されるフィルム10。
【００１２】
図２では、剥離性材料(peelable material) のストリップまたはテープの切片20が、フィルムから製造されることになるパッケージと等しいピッチで、フィルムの走行方向Ｄに対して横断方向に、フィルム10上に順次供給される。
【００１３】
図３では、切片20の平坦化とフィルム10へのその固定を行う工程。
図２と図３を比べると、平坦化工程により切片20がより長くなることが見られる。即ち、切片20は、これがフィルム10に置かれている間はフィルム10の幅より短いが、これを本発明に従って平坦化した（平らに押し潰した）後は、フィルム10の全幅をカバーし、従ってこれからその後に製造されたパッケージの完全な漏れ止め性を保証するのに適した切片20を得ることが可能である。
【００１４】
実際は、フィルム10上での切片20の平坦化工程と固定工程は同時に行うことができる。この２工程は逐次的に行うこともできる。その場合、固定化工程より先に平坦化工程を行うことが好ましい。
【００１５】
この平坦化工程と固定工程は、加熱された２つのジョーの間で実施することが好ましい。
切片20を構成する剥離性材料は、その融点または軟化点がフィルム（シート）10の主壁面を構成する材料のそれより低い材料である。
【００１６】
制限を意図しない例として、剥離性切片20を構成する材料は、オレフィン、エチレンまたはプロピレンのコポリマーにより製作されることが好ましい。
やはり制限を意図しない例として、フィルム10を構成する材料は、ポリオレフィンにより形成されることが好ましい。
【００１７】
本発明によると、上記方法を満足すべき条件下で実施するために、剥離性材料の切片20は、好ましくはフィルム10上で固定するための少なくとも１つの平面状のベース面を与えるのがよいことが考慮される。各切片20の断面の残余の部分は多様な形状にすることができる。例えば、切片20は断面が矩形または正方形でよく、さらには全体的に丸みを帯びていてもよい。
【００１８】
さらに、制限を意図しない例として、切片20の幅は好ましくは１〜10 mm の範囲内であり、一方切片20の厚みは好ましくは 0.1〜2 mmの範囲内である。
図１〜３は、剥離性材料の切片20をフィルム10の上に横断方向に配置することからなる方法の工程を示している。しかし、変更例では、剥離性材料の切片20をフィルム10の上に長手方向、即ちその長さＤと平行に配置することにより同じ方法を実施することができる。
【００１９】
剥離性材料の切片20は、図４に略式に示すように、閉鎖ストリップ30の一体部分を形成していて、これと同時押出成形されているものでもよい。さもなくば、これは、フィルム10上に該ストリップ30と平行に送給される別個の要素として作製されることもできる。
【００２０】
パッケージまたは袋は、本発明に従って剥離性材料ストリップの切片20を有するフィルム10から出発して、その後は当業者に公知の任意の技術を用いて製造することができる。
【００２１】
１つの慣用の方法では、剥離性ストリップ20をパッケージの対向する面と接触させ、熱の供給を伴う圧縮によりこれに固定する。
その他のパッケージの形成 (成形) 、充填およびシール (密封) の慣用操作については、以下には詳述しない。
【００２２】
ただし、切片20の供給、その平坦化、およびフィルム10へのその固定からなる本発明の方法は、その後に、このフィルムを、例えば巻き取り、によって保管する工程が続くことができることは認められよう。パッケージそのものは、後で、切片20をフィルム10上に固定したのとは別であってもよい場所で製造される。
【００２３】
しかし、変更例では、ストリップ20の供給、その平坦化およびフィルム10へのその固定からなる本発明の方法は、このフィルムからパッケージを形成する手段と、パッケージを充填する手段と、充填したパッケージをシールする手段とを備えた、成形・充填・シール(FFS) 型機械のすぐ上流で実施することができる。
【００２４】
このようなFFS 型機械は、フィルムをチューブに造形するための成形スロート、得られたチューブ内に開口している充填シュート、フィルムの長手方向縁部を一緒に固定（接合）するのに適した手段、および各パッケージの端部を形成するようにチューブ状フィルムにヒートシールの横断線を与えるように順次操作するのに適した手段を備えることができる。
【００２５】
もちろん、本発明は上述した特定の態様に制限されるものではなく、本発明の技術思想の範囲内の任意の変更例にも及ぶ。
本発明は、閉鎖ストリップがカーソルによって作動される袋に適用することができる。
【００２６】
添付図面において、フィルム10の全幅を実質的に覆う剥離性材料の切片20が示されている。この場合、パッケージの製造は、こうして切片20が取り付けられたフィルムを、この第１のフィルムの閉鎖ストリップに補完的な別の閉鎖ストリップを有するが、剥離性ストリップを有していない同じ幅の別のフィルムの上に重ねることにより行うことが好ましい。
【００２７】
これに対して、半分に折られたか、またはチューブを形成するように成形された１枚のシート (フィルム) を用いてパッケージを製造する場合には、フィルム10の上に置かれた切片20の長さはフィルム10の幅の約半分とすべきであり、平坦化されると、切片が最終パッケージの幅をきっちりカバーするようになる。
【図面の簡単な説明】
【図１】  本発明の方法の実施における引き続く３工程の１つを示す説明図である。
【図２】  本発明の方法の実施における引き続く３工程の１つを示す説明図である。
【図３】  本発明の方法の実施における引き続く３工程の１つを示す説明図である。
【図４】  本発明の変更例を構成する、剥離性切片と一体化した閉鎖ストリップの断面図である。
【図１】
0004396035.tif 000002
【図２】
0004396035.tif 000003
【図３】
0004396035.tif 000004
【図４】
0004396035.tif 000005